(57)【要約】【課題】複数のネットワークに接続する機器が利用するネットワークをユーザに応じて適切に切り替え可能とすること。【解決手段】複数のネットワークに接続される情報処理システムは、当該情報処理システムのユーザを識別するために入力されるユーザ識別情報を取得する取得部と、前記取得部が取得したユーザ識別情報又は前記取得部がユーザ識別情報の取得に伴って取得した情報に基づいて、前記複数のネットワークのうち前記ユーザに対応するネットワークを判定する判定部と、前記判定部によって判定されたネットワークを利用して、前記ユーザによって要求された処理に関連する通信を制御する制御部と、を有する。【選択図】図３
2019126988.tif 000002
【特許請求の範囲】
【請求項１】
複数のネットワークに接続される情報処理システムであって、
当該情報処理システムのユーザを識別するために入力されるユーザ識別情報を取得する取得部と、
前記取得部が取得したユーザ識別情報又は前記取得部がユーザ識別情報の取得に伴って取得した情報に基づいて、前記複数のネットワークのうち前記ユーザに対応するネットワークを判定する判定部と、
前記判定部によって判定されたネットワークを利用して、前記ユーザによって要求された処理に関連する通信を制御する制御部と、
を有することを特徴とする情報処理システム。
【請求項２】
前記判定部は、前記ユーザ識別情報又は前記情報と、前記ネットワークとの対応関係を示す情報を記憶した記憶部を参照して、前記複数のネットワークのうち前記ユーザに対応するネットワークを判定する、
ことを特徴とする請求項１記載の情報処理システム。
【請求項３】
前記取得部は、ユーザが所持する記録媒体から前記情報を取得する、
ことを特徴とする請求項１又は２記載の情報処理システム。
【請求項４】
前記制御部は、前記判定部によって判定されたネットワークに接続する装置から前記処理に関連するデータを取得する、又は前記装置へ前記処理に関連するデータを送信する、
ことを特徴とする請求項１乃至３いずれか一項記載の情報処理システム。
【請求項５】
複数のネットワークに接続される機器であって、
当該機器のユーザを識別するために入力されるユーザ識別情報を取得する取得部と、
前記取得部が取得したユーザ識別情報又は前記取得部がユーザ識別情報の取得に伴って取得した情報に基づいて、前記複数のネットワークのうち前記ユーザに対応するネットワークを判定する判定部と、
前記判定部によって判定されたネットワークを利用して、前記ユーザによって要求された処理に関連する通信を制御する制御部と、
を有することを特徴とする機器。
【請求項６】
複数のネットワークに接続される情報処理システムが、
当該情報処理システムのユーザを識別するために入力されるユーザ識別情報を取得する取得手順と、
前記取得手順が取得したユーザ識別情報又は前記取得手順がユーザ識別情報の取得に伴って取得した情報に基づいて、前記複数のネットワークのうち前記ユーザに対応するネットワークを判定する判定手順と、
前記判定手順によって判定されたネットワークを利用して、前記ユーザによって要求された処理に関連する通信を制御する制御手順と、
を実行することを特徴とする情報処理方法。
【請求項７】
複数のネットワークに接続される機器に、
当該機器のユーザを識別するために入力されるユーザ識別情報を取得する取得手順と、
前記取得手順が取得したユーザ識別情報又は前記取得手順がユーザ識別情報の取得に伴って取得した情報に基づいて、前記複数のネットワークのうち前記ユーザに対応するネットワークを判定する判定手順と、
前記判定手順によって判定されたネットワークを利用して、前記ユーザによって要求された処理に関連する通信を制御する制御手順と、
を実行させることを特徴とするプログラム。
【発明の詳細な説明】
【技術分野】
【０００１】
本発明は、情報処理システム、機器、情報処理方法及びプログラムに関する。
【背景技術】
【０００２】
企業内において電子的に管理されている情報のセキュリティを確保するために、従業員が社内の業務用にアクセスするＬＡＮ（Local Area Network）等のネットワーク（以下、「従業員ネットワーク」という。）とは別に、当該ネットワークとは接続関係を有さず、訪問者等のゲストにアクセスが許可されるネットワーク（以下、「ゲストネットワークという。」が施設される場合が有る。
【０００３】
このような場合において、ゲストは、ゲストネットワークに接続されている画像形成装置を利用して、ゲストネットワークに接続されている所定のコンピュータ（印刷サーバ）に予め登録されている印刷要求（印刷ジョブ）について印刷等を行うことになる。
【発明の概要】
【発明が解決しようとする課題】
【０００４】
しかしながら、従業員用の画像形成装置とゲスト用の画像形成装置とを別々に設置するのは経済的ではない。そこで、一台の画像形成装置を、従業員ネットワーク及びゲストネットワークの双方に接続することで、経済的負担等を軽減することが考えられる。但し、この場合、画像形成装置は、ユーザに応じて利用するネットワークを切り替える必要が有る。例えば、上記の例によれば、画像形成装置は、ユーザが従業員であれば、従業員ネットワークに接続する印刷サーバから印刷要求を取得し、ユーザがゲストであれば、ゲストネットワークに接続する印刷サーバから印刷要求を取得する必要が有る。
【０００５】
なお、以上のような課題は、画像形成装置に限られず、ネットワークを利用する機器に対して共通の課題である。
【０００６】
本発明は、上記の点に鑑みてなされたものであって、複数のネットワークに接続する機器が利用するネットワークをユーザに応じて適切に切り替え可能とすることを目的とする。
【課題を解決するための手段】
【０００７】
そこで上記課題を解決するため、複数のネットワークに接続される情報処理システムは、当該情報処理システムのユーザを識別するために入力されるユーザ識別情報を取得する取得部と、前記取得部が取得したユーザ識別情報又は前記取得部がユーザ識別情報の取得に伴って取得した情報に基づいて、前記複数のネットワークのうち前記ユーザに対応するネットワークを判定する判定部と、前記判定部によって判定されたネットワークを利用して、前記ユーザによって要求された処理に関連する通信を制御する制御部と、を有する。
【発明の効果】
【０００８】
複数のネットワークに接続する機器が利用するネットワークをユーザに応じて適切に切り替え可能とすることができる。
【図面の簡単な説明】
【０００９】
【図１】本発明の実施の形態におけるネットワーク構成例を示す図である。
【図２】本発明の実施の形態における画像形成装置のハードウェア構成例を示す図である。
【図３】本発明の実施の形態における画像形成装置１０の機能構成例を示す図である。
【図４】画像形成装置１０が実行する処理手順の一例を説明するためのシーケンス図である。
【図５】ユーザ情報記憶部１３１の構成例を示す図である。
【図６】ＮＷ設定記憶部１３２の構成例を示す図である。
【発明を実施するための形態】
【００１０】
以下、図面に基づいて本発明の実施の形態を説明する。図１は、本発明の実施の形態におけるネットワーク構成例を示す図である。図１において、画像形成装置１０は、系統Ａの（ＬＡＮ（Local Area Network））等のネットワークＡと、系統ＢのネットワークＢとに接続される。なお、ネットワークＡ及びネットワークＢは、例えば、或る企業（以下、「企業Ａ」という。）内のネットワークである。
【００１１】
ネットワークＡは、企業Ａの従業員向けの業務用のネットワークである。ネットワークＡには、画像形成装置１０の他に、印刷サーバ３０ａ、１以上の業務端末４０ａが接続する。業務端末４０ａは、従業員が業務に利用するＰＣ（Personal Computer）、タブレット端末又はスマートフォン等の端末である。
【００１２】
印刷サーバ３０ａは、ネットワークＡにおいて、業務端末４０ａから送信（アップロード）される印刷要求を示すデータ（以下、単に「印刷要求」という。）を、当該印刷要求の送信元の業務端末４０ａのユーザのユーザ名に対応付けて記憶（蓄積）するコンピュータ（装置）である。印刷要求には、印刷対象のデータ（以下、「印刷対象データ」という。）の保存先を示す情報（ＵＲＬ（Uniform Resource Locator）又はパス名等）、印刷対象データの文書名、及び印刷設定情報等が含まれる。印刷サーバ３０ａは、各印刷要求に対して識別情報（以下、「ジョブＩＤ」という。）を割り当て、当該ジョブＩＤを各印刷要求に付加する。印刷サーバ３０ａは、また、画像形成装置１０からの印刷要求の取得要求に応じ、当該取得要求に含まれている、画像形成装置１０へのログインユーザのユーザ名に対応付けられて記憶されている印刷要求の一覧（以下、「ジョブリスト」という。）を画像形成装置１０に送信する。
【００１３】
ネットワークＢは、企業Ａのゲスト向けのオープンネットワークである。ネットワークＢは、インターネットに接続されていてもよい。ネットワークＢには、画像形成装置１０の他に、印刷サーバ３０ｂ、１以上のゲスト端末４０ｂが接続する。
【００１４】
ゲスト端末４０ｂは、企業Ａに対するゲストが利用するＰＣ（Personal Computer）、タブレット端末又はスマートフォン等の端末である。ゲストとは、従業員以外の者をいい、例えば、企業Ａの訪問者がゲストの一例である。ゲスト端末４０ｂは、ゲストが持参してもよいし、予め設置されていてもよい。
【００１５】
印刷サーバ３０ｂは、ネットワークＡにおいて、ゲスト端末４０ｂから送信される印刷要求について、印刷サーバ３０ａと同様の処理を行うコンピュータである。
【００１６】
なお、以下において、ネットワークＡ及びネットワークＢを区別しない場合、「ネットワークＸ」という。また、印刷サーバ３０ａ及び印刷サーバ３０ｂを区別しない場合、単に「印刷サーバ３０」という。
【００１７】
図２は、本発明の実施の形態における画像形成装置１０のハードウェア構成例を示す図である。図２において、画像形成装置１０は、コントローラ１１、スキャナ１２、プリンタ１３、モデム１４、操作パネル１５、ネットワークインタフェース１６、ＳＤカードスロット１７、及びカードリーダ１８等のハードウェアを有する。
【００１８】
コントローラ１１は、ＣＰＵ１１１、ＲＡＭ１１２、ＲＯＭ１１３、ＨＤＤ１１４、及びＮＶＲＡＭ１１５等を有する。ＲＯＭ１１３には、各種のプログラムやプログラムによって利用されるデータ等が記憶されている。ＲＡＭ１１２は、プログラムをロードするための記憶領域や、ロードされたプログラムのワーク領域等として用いられる。ＣＰＵ１１１は、ＲＡＭ１１２にロードされたプログラムを処理することにより、各種の機能を実現する。ＨＤＤ１１４には、プログラムやプログラムが利用する各種のデータ等が記憶される。ＮＶＲＡＭ１１５には、各種の設定情報等が記憶される。
【００１９】
スキャナ１２は、原稿より画像データを読み取るためのハードウェア（画像読取手段）である。プリンタ１３は、印刷データを印刷用紙に印刷するためのハードウェア（印刷手段）である。モデム１４は、電話回線に接続するためのハードウェアであり、ＦＡＸ通信による画像データの送受信を実行するために用いられる。操作パネル１５は、ユーザからの入力の受け付けを行うためのボタン等の入力手段や、液晶パネル等の表示手段等を備えたハードウェアである。液晶パネルは、タッチパネル機能を有していてもよい。この場合、当該液晶パネルは、入力手段の機能をも兼ねる。ネットワークインタフェース１６は、ＬＡＮ等のネットワーク（有線又は無線の別は問わない。）に接続するためのハードウェアである。ＳＤカードスロット１７は、ＳＤカード８０に記憶されたプログラムを読み取るために利用される。すなわち、画像形成装置１０では、ＲＯＭ１１３に記憶されたプログラムだけでなく、ＳＤカード８０に記憶されたプログラムもＲＡＭ１１２にロードされ、実行されうる。なお、他の記録媒体（例えば、ＣＤ−ＲＯＭ又はＵＳＢ（Universal Serial Bus）メモリ等）によってＳＤカード８０が代替されてもよい。すなわち、ＳＤカード８０の位置付けに相当する記録媒体の種類は、所定のものに限定されない。この場合、ＳＤカードスロット１７は、記録媒体の種類に応じたハードウェアによって代替されればよい。
【００２０】
カードリーダ１８は、ＩＣカード２０からの情報の読み込み、及びＩＣカード２０への情報の書き込み等を行う装置である。カードリーダ１８は、画像形成装置１０に内蔵されていてもよいし、ＵＳＢ（Universal Serial Bus）インタフェース等、外部デバイスとの接続用のインタフェースを介して、画像形成装置１０に接続されてもよい。なお、ＩＣカード２０は、接触型でもよいし、非接触型でもよい。
【００２１】
本実施の形態では、企業Ａの各従業員に対してＩＣカード２０が１枚ずつ配布されている。また、企業Ａのゲストには、例えば、企業Ａへの来訪時にＩＣカード２０が貸与される。すなわち、本実施の形態では、画像形成装置１０のユーザは、ＩＣカード２０を所持している。
【００２２】
図３は、本発明の実施の形態における画像形成装置１０の機能構成例を示す図である。図３において、画像形成装置１０は、ＵＩ制御部１２１、認証情報取得部１２２、認証制御部１２３、印刷アプリ１２４及びＮＷ制御部１２５等を有する。これら各部は、画像形成装置１０にインストールされた１以上のプログラムが、ＣＰＵ１１１に実行させる処理により実現される。画像形成装置１０は、また、ユーザ情報記憶部１３１及びＮＷ設定記憶部１３２等を利用する。これら各記憶部は、例えば、ＨＤＤ１１４、又は画像形成装置１０にネットワークを介して接続可能な記憶装置等を用いて実現可能である。なお、ＵＩ制御部１２１、認証情報取得部１２２、認証制御部１２３、印刷アプリ１２４及びＮＷ制御部１２５のうちのいずれか一部は、画像形成装置１０に通信回線を介して接続される外部のコンピュータにインストールされたプログラムが当該コンピュータに実行させる処理により実現されてもよい。
【００２３】
ＵＩ制御部１２１は、操作パネル１５に情報（画面等）を表示したり、操作パネル１５に対するユーザによる操作を検知したりする。
【００２４】
認証情報取得部１２２は、カードリーダ１８にセットされたＩＣカード２０から、ＩＣカード２０に記憶されている情報（以下、「カード情報」という。）を取得する。カードリーダ１８へのＩＣカード２０のセットとは、カードリーダ１８へＩＣカード２０を挿入したり、ＩＣカード２０を翳したりといったように、カードリーダ１８が、ＩＣカード２０と通信可能な状態にすることをいう。
【００２５】
本実施の形態において、カード情報には、カードＩＤ及びカード種別が含まれる。カードＩＤは、ＩＣカード２０の識別情報であり、ＩＣカード２０ごとに異なる。したがって、カードＩＤは、企業Ａの従業員ごとに異なる。したがって、カードＩＤは、画像形成装置１０の識別情報と等価であるといる。但し、ゲストに貸与されるＩＣカード２０のカードＩＤは、全て共通であってもよい。カード種別は、ＩＣカード２０が、従業員に配布されたＩＣカード（以下、「従業員カード」という。）であるか、ゲストに貸与されたＩＣカード（以下「ゲストカード」という。）であるのかを示す情報である。本実施の形態において、カード種別は、「従業員カード」又は「ゲストカード」の値をとりうる。したがって、カード種別は、ＩＣカード２０の所持者（画像形成装置１０のユーザ）のカテゴリ（従業員であるかゲストであるか）を区別する情報であるといえる。
【００２６】
認証制御部１２３は、認証情報取得部１２２によって取得されたカード情報に含まれるカードＩＤを、ユーザ情報記憶部１３１に記憶されているカードＩＤと照合することで、画像形成装置１０のユーザの認証を行う。
【００２７】
ユーザ情報記憶部１３１には、画像形成装置１０の利用が許可されているユーザごとに、カードＩＤに対応付けて、当該ユーザに関するユーザ情報（ユーザ名等）が記憶されている。なお、ゲストカードのカードＩＤに対しては、例えば、「ゲストＮ」（Ｎ＝１，・・・，ｎ）等のユーザ名を含むユーザ情報が対応付けられていてもよい。
【００２８】
印刷アプリ１２４は、認証制御部１２３による認証に成功したユーザ（以下、「ログインユーザ」という。）によって、印刷の実行が要求された場合に、印刷サーバ３０に記憶されている印刷要求に係る印刷対象データの印刷を制御する。
【００２９】
ＮＷ制御部１２５は、ログインユーザに対応するカード種別に基づいて、通信に利用するネットワークＸを判定すると共に、判定結果に応じたネットワークＸを利用して、ユーザによって要求された処理に関連する通信を制御する。本実施の形態では、ＮＷ制御部１２５は、判定結果に応じたネットワークＸに接続する印刷サーバ３０から、当該ログインユーザに対応するジョブリストを取得する。すなわち、ログインユーザが従業員であれば、ＮＷ制御部１２５は、ネットワークＡに接続する印刷サーバ３０ａからジョブリストを取得する。ログインユーザがゲストであれば、ＮＷ制御部１２５は、ネットワークＢに接続する印刷サーバ３０ｂからジョブリストを取得する。
【００３０】
ＮＷ設定記憶部１３２には、カード種別に応じて、対応するネットワークＸを示す情報（以下、「ＮＷ系統情報」という。）が記憶されている。すなわち、ＮＷ設定記憶部１３２には、カード種別とネットワークＸとの対応関係を示す情報が記憶されている。
【００３１】
以下、画像形成装置１０が実行する処理手順について説明する。図４は、画像形成装置１０が実行する処理手順の一例を説明するためのシーケンス図である。
【００３２】
画像形成装置１０の起動後や、ユーザのログアウト後等のタイミングにおいて、認証制御部１２３が、ＵＩ制御部１２１に対してログイン画面の表示を要求すると（Ｓ１０１）、ＵＩ制御部１２１は、ログイン画面を操作パネル１５に表示する（Ｓ１０２）。ログイン画面は、例えば、カードリーダ１８へのＩＣカード２０のセットを促すメッセージを含む画面でもよい。ログイン画面が表示されることで、画像形成装置１０の利用が制限される。
【００３３】
その後、ユーザが、カードリーダ１８に対してＩＣカード２０をセットすると（Ｓ１０３）、認証情報取得部１２２は当該ＩＣカード２０のセットを検知して、当該ＩＣカード２０からカード情報を読み出し、当該カード情報を含む認証要求を認証制御部１２３へ入力する（Ｓ１０４）。
【００３４】
認証制御部１２３は、当該認証要求に応じ、当該認証要求に含まれているカードＩＤ（以下、「対象カードＩＤ」という。）を、ユーザ情報記憶部１３１に記憶されているカードＩＤ群と照合することで、対象カードＩＤが、ユーザ情報記憶部１３１に記憶されているか否かを判定する（Ｓ１０５）。
【００３５】
図５は、ユーザ情報記憶部１３１の構成例を示す図である。図５に示されるように、ユーザ情報記憶部１３１には、カードＩＤに対応付けて、ユーザ名を含むユーザ情報が記憶されている。なお、図５では、９０００番台のカードＩＤがゲストカードのカードＩＤである例が示されている。
【００３６】
対象カードＩＤと一致するカードＩＤがユーザ情報記憶部１３１に記憶されていない場合、ユーザの認証は失敗する。この場合、ログイン画面は表示されたまま（画像形成装置１０の利用は制限されたまま）となる。
【００３７】
一方、対象カードＩＤと一致するカードＩＤがユーザ情報記憶部１３１に記憶されている場合、認証制御部１２３は、対象カードＩＤに対応付けられて記憶されているユーザ名（以下、「対象ユーザ名」という。）をユーザ情報記憶部１３１から取得し（Ｓ１０６）、ログイン画面の消去をＵＩ制御部１２１に要求する（Ｓ１０７）。ＵＩ制御部１２１は、当該要求に応じ、ログイン画面を消去する（Ｓ１０８）。その結果、例えば、ログイン画面の下に表示されていたホーム画面が操作可能な状態となる。なお、ホーム画面とは、例えば、画像形成装置１０の各機能（例えば、画像形成装置１０にインストールされた各アプリケーション）に対応するアイコンの一覧が表示される画面をいう。
【００３８】
認証制御部１２３は、また、画像形成装置１０に対してユーザがログインしたことを、印刷アプリ１２４等、画像形成装置１０にインストールされている各アプリケーションに通知する（Ｓ１０９）。当該通知には、対象ユーザ名と、ステップＳ１０４において入力されたカード情報に含まれているカード種別（以下、「対象カード種別」という。）とが含まれる。
【００３９】
印刷アプリ１２４は、当該通知に応じ、ジョブリストの取得要求をＮＷ制御部１２５に入力する（Ｓ１１０）。当該取得要求には、対象ユーザ名及び対象カード種別が含まれる。ジョブリストとは、印刷サーバ３０にアップロードされている印刷要求の一覧をいう。
【００４０】
続いて、ＮＷ制御部１２５は、ＮＷ設定記憶部１３２を参照して、対象カード種別に対応するネットワークＸを判定する。具体的には、ＮＷ制御部１２５は、対象カード種別に対応付けられているＮＷ系統情報をＮＷ設定記憶部１３２から取得する（Ｓ１１１、Ｓ１１２）。
【００４１】
図６は、ＮＷ設定記憶部１３２の構成例を示す図である。図６に示されるように、ＮＷ設定記憶部１３２には、カード種別に対応付けてＮＷ系統情報が記憶されている。ＮＷ系統情報の値は、「Ａ」又は「Ｂ」である。「Ａ」はネットワークＡを示す。「Ｂ」は、ネットワークＢを示す。
【００４２】
続いて、ＮＷ制御部１２５は、取得されたＮＷ系統情報に係るネットワークＸ（以下、「対象ネットワーク」という。）にジョブリストの取得要求を送出する（Ｓ１１３）。当該取得要求には、対象ユーザ名が含まれる。また、当該取得要求の宛先には、印刷サーバ３０のＩＰアドレスが指定される。したがって、当該ＮＷ系統情報が「Ａ」であれば、印刷サーバ３０ａへ当該取得要求が送信され、当該ＮＷ系統情報が「Ｂ」「であれば、印刷サーバ３０ｂへ当該取得要求が送信される。なお、各印刷サーバ３０のＩＰアドレスは、例えば、ＮＷ設定記憶部１３２において、カード種別に対応付けられて記憶されていてもよい。又は、印刷サーバ３０ａ及び印刷サーバ３０ｂに対して共通のホスト名が予め画像形成装置１０に設定されており、ＮＷ制御部１２５が、当該ホスト名に基づいて印刷サーバ３０のＩＰアドレスを特定してもよい。この場合、例えば、ネットワークＡ及びネットワークＢのそれぞれにＤＮＳ（Domain Name System）サーバが設置され、ＮＷ制御部１２５が、対象ネットワークに接続されているＤＮＳサーバに対してＩＰアドレスを問い合わせてもよい。
【００４３】
なお、ＮＷ制御部１２５が、アプリケーションごとに実装されるのであれば、印刷サーバ３０のホスト名は、ＮＷ制御部１２５が知っていてもよい。ＮＷ制御部１２５が知っているとは、ＮＷ制御部１２５の管理下に有るファイル又はＤＢ（Data Base）等にホスト名が記憶されていることをいう。当該ファイル又は当該ＤＢは、例えば、ＨＤＤ１１４に記憶されていてもよい。
【００４４】
一方、ＮＷ制御部１２５が、複数のアプリケーションから共用されるのであれば、印刷サーバ３０のホスト名は、印刷アプリ１２４が知っていてもよい。この場合、ステップＳ１１０のジョブリストの取得要求に、印刷サーバ３０のホスト名が指定されればよい。
【００４５】
ＮＷ制御部１２５から送信された、ジョブリストの取得要求を受信した印刷サーバ３０は、当該印刷サーバ３０に記憶されている印刷要求のうち、当該取得要求に含まれているユーザ名に対応付けられている印刷要求によって構成されるジョブリストを返信する（Ｓ１１４）。
【００４６】
ＮＷ制御部１２５は、当該ジョブリストを受信すると、当該ジョブリストを印刷アプリ１２４へ出力する（Ｓ１１５）。印刷アプリ１２４は、当該ジョブリストを、例えば、ＨＤＤ１１４等に記憶しておく。
【００４７】
以上で、ユーザのログインに応じた一連の処理は終了し、画像形成装置１０は、ユーザからの入力を待機した状態となる。
【００４８】
その後、ＵＩ制御部１２１が、ホーム画面に表示されているアイコンのうち、印刷アプリ１２４のアイコンが選択されたことを検知すると（Ｓ１２１）、ＵＩ制御部１２１は、印刷アプリ１２４に対して画面（印刷アプリ１２４の操作画面）の表示を要求する（Ｓ１２２）。印刷アプリ１２４は、当該要求に応じ、ＨＤＤ１１４等に記憶しておいたジョブリストを含む画面（以下、「ジョブ選択画面」という。）を返却する（Ｓ１２３）。ジョブ選択画面は、ジョブリストに含まれる各印刷要求を選択肢として含む画面である。なお、本実施の形態では、ユーザのログイン時にステップＳ１１０〜Ｓ１１５が事前に実行される例を示したが、ステップＳ１２２に応じて、ステップＳ１１０〜Ｓ１１５が実行されてもよい。
【００４９】
続いて、ＵＩ制御部１２１は、ジョブ選択画面を操作パネル１５に表示する（Ｓ１２４）。ＵＩ制御部１２１は、ジョブリストの中からいずれかの印刷要求がユーザによって選択され、印刷の実行指示が入力されたことを検知すると（Ｓ１２５）、選択された印刷要求に含まれているジョブＩＤに係る印刷の実行要求を印刷アプリ１２４へ入力する（Ｓ１２６）。印刷アプリ１２４は、ジョブリストを構成する印刷要求のうち、当該ジョブＩＤを含む印刷要求に係る印刷対象データを取得し、当該印刷対象データの印刷を画像形成装置１０に実行させるための制御を行う。
【００５０】
上述したように、本実施の形態によれば、ＩＣカード２０からカードＩＤに伴って取得されるカード種別に基づいて、画像形成装置１０のユーザに対応したネットワークが判定され、判定結果に応じたネットワークを利用して、ユーザによって要求された処理に関連する通信が行われる。したがって、複数のネットワークに接続する機器（画像形成装置１０）が利用するネットワークをユーザに応じて適切に切り替え可能とすることができる。
【００５１】
なお、上記では、ユーザが所持する記録媒体の一例としてＩＣカード２０が利用される例について説明したが、磁気カード、ＵＳＢメモリ等、他の記録媒体がＩＣカード２０の代わりに利用されてもよい。
【００５２】
また、上記では、カード種別がＩＣカード２０に記憶されている例を説明したが、カード種別は、ＩＣカード２０に記憶されていなくてもよい。この場合、ユーザ情報記憶部１３１又は他の記憶部に、カードＩＤに対応付けてカード種別が記憶されており、認証制御部１２３が、対象カードＩＤに対応するカード種別を、ユーザ情報記憶部１３１又は当該他の記憶部から取得してもよい。
【００５３】
又は、従業員カードとゲストカードとの規格又は仕様が異なるようにされてもよい。この場合、複数種類の規格又は仕様に対応したカードリーダがカードリーダ１８として用いられればよい。認証情報取得部１２２は、カードリーダ１８がいずれの規格又は仕様に応じた読み取り方式でカード情報を読み取ったのかを示す情報をカードリーダ１８から取得し、当該情報に基づいてカード種別を判定する。したがって、この場合、カードＩＤとカード種別との対応付けが記憶される必要はない。
【００５４】
また、画像形成装置１０にログインするための認証方式は、ＩＣカードを用いた方式に限られない。ユーザ名及びパスワードが入力されて認証が行われてもよいし、生体情報が入力されて認証が行われてユーザ名が特定されてもよい。この場合、ユーザ情報記憶部１３１に、ユーザ名に対応付けてカード種別に対応する情報（例えば、従業員であるのかゲストであるのかを区別するユーザカテゴリ情報）が記憶されており、認証制御部１２３が、ユーザ名に基づいて、ログインユーザが従業員であるのかゲストであるのかを判定してもよい。
【００５５】
また、認証制御部１２３は、認証処理を実行せずに、ネットワークを介して画像形成装置１０に接続される他のコンピュータ（認証サーバ）に対して認証処理の実行を要求（委譲）してもよい。この場合、ユーザ情報記憶部１３１は、認証サーバに記憶されていてもよい。認証サーバは、認証要求に応じ、認証制御部１２３と同様の処理を実行すればよい。なお、認証サーバが接続するネットワークは、ネットワークＡであってもよいし、ネットワークＡ及びネットワークＢとは別の第３の系統のネットワークであってもよい。この場合、画像形成装置１０は、３つのネットワークに接続することになる。
【００５６】
また、本実施の形態では、印刷アプリ１２４の処理に関連するデータである印刷要求の記憶場所（印刷サーバ３０）が、ユーザのカテゴリ（従業員又はゲスト）に基づいて区別される例を説明したが、他のアプリケーションの処理に関連するデータのアクセス先がユーザのカテゴリに基づいて区別されてもよい。例えば、ワークフローを実行するアプリケーションであれば、ワークフローの定義情報を記憶するサーバが、ネットワークＡ及びネットワークＢのそれぞれに接続されており、画像形成装置１０へのログインユーザのカテゴリに応じて、当該定義情報の取得先が区別されてもよい。また、画像形成装置１０にスキャンを実行させ、スキャンされた画像データを所定のサーバに保存するアプリケーションであれば、当該所定のサーバが、ネットワークＡ及びネットワークＢのそれぞれに接続されており、画像形成装置１０へのログインユーザのカテゴリに応じて保存先が区別されてもよい。
【００５７】
また、本実施の形態では、画像形成装置１０が２つのネットワークに接続される例を示したが、画像形成装置１０が、相互に接続関係を有さない３つ以上のネットワークに接続されてもよい。また、従業員とゲストとの分類ではなく、他の基準に基づいてユーザのカテゴリが分類されてもよい。例えば、部署を跨いだ情報のアクセスを抑制したいが、画像形成装置１０は部署間で共用したい場合に、ユーザの所属部署に応じて、画像形成装置１０が利用するネットワークが区別されてもよい。
【００５８】
また、本実施の形態では、画像形成装置１０を機器の一例として説明したが、本実施の形態は、プロジェクタ、電子黒板、又はテレビ会議システム等のように、ネットワークを介して接続されるコンピュータに記憶されているデータにアクセスする各種の機器又は情報処理システムに対して適用可能である。
【００５９】
なお、上記で説明した実施形態の各機能は、一又は複数の処理回路によって実現することが可能である。ここで、本明細書における「処理回路」とは、電子回路により実装されるプロセッサのようにソフトウェアによって各機能を実行するようプログラミングされたプロセッサや、上記で説明した各機能を実行するよう設計されたASIC(Application Specific Integrated Circuit)、DSP（digital signal processor）、FPGA（field programmable gate array）や従来の回路モジュール等のデバイスを含むものとする。
【００６０】
なお、本実施の形態において、画像形成装置１０は、情報処理システム又は機器の一例である。認証情報取得部１２２は、取得部の一例である。ＮＷ制御部１２５は、判定部及び制御部の一例である。ＩＣカード２０に記憶されているカード情報に含まれるカードＩＤ、又はユーザ名若しくは生体情報等は、ユーザ識別情報の一例である。ＩＣカード２０に記憶されているカード情報に含まれるカード種別、又はＩＣカード２０の読み取り方式は、ユーザ識別情報の取得に伴って取得した情報の一例である。
【００６１】
以上、本発明の実施の形態について詳述したが、本発明は斯かる特定の実施形態に限定されるものではなく、特許請求の範囲に記載された本発明の要旨の範囲内において、種々の変形・変更が可能である。
【符号の説明】
【００６２】
１０          画像形成装置
１１          コントローラ
１２          スキャナ
１３          プリンタ
１４          モデム
１５          操作パネル
１６          ネットワークインタフェース
１７          ＳＤカードスロット
１８          カードリーダ
２０          ＩＣカード
３０ａ        印刷サーバ
３０ｂ        印刷サーバ
４０ａ        業務端末
４０ｂ        ゲスト端末
８０          ＳＤカード
１１１        ＣＰＵ
１１２        ＲＡＭ
１１３        ＲＯＭ
１１４        ＨＤＤ
１１５        ＮＶＲＡＭ
１２１        ＵＩ制御部
１２２        認証情報取得部
１２３        認証制御部
１２４        印刷アプリ
１２５        ＮＷ制御部
１３１        ユーザ情報記憶部
１３２        ＮＷ設定記憶部
Ａ            ネットワーク
Ｂ            ネットワーク
【先行技術文献】
【特許文献】
【００６３】
【特許文献１】特開２００６−３５０４９７号公報
【図１】
2019126988.tif 000003
【図２】
2019126988.tif 000004
【図３】
2019126988.tif 000005
【図４】
2019126988.tif 000006
【図５】
2019126988.tif 000007
【図６】
2019126988.tif 000008